(57)【要約】【課題】パネルの左右に視差のある画像を表示させた携帯情報端末を使用し、消費者の単純な作業だけで組み立てられる簡易的な３次元ビューワを得る。【解決手段】レンズプレート（３）とホルダー（２）からなる３次元ビューワであり、ホルダーは左右にレンズ開口部（２２１１）を有し、かつ、左右のレンズ開口部の間に切り込みからなる挿嵌帯（２１）を有する接眼板（２２）と、接眼板に折り線を介して繋がる底面板（２３）と、からなり、底面板に、折り線を介して切り込みで形成され、底面板と接眼板に対し垂直に起立した状態で係止可能な仕切り板（２３１）とし、携帯端末を仕切り板に直交する形で、かつ、レンズプレートに平行に挿嵌可能なことを特徴とする簡易３次元ビューワ（１）。【選択図】図１
2018137526.tif 000002
【特許請求の範囲】
【請求項１】
携帯端末のパネル画像を立体視可能な３次元ビューワであって、
レンズプレートと、ホルダーと、からなり、
ホルダーは、
左右にレンズ開口部を有し、かつ、左右のレンズ開口部の間にあって複数の切り込みからなる挿嵌帯を有する接眼板と、
接眼板に折り線を介して繋がる底面板と、からなり、
底面板に、折り線を介して切り込みで形成され、底面板と接眼板のそれぞれに対し、垂直に起立した状態で係止可能な仕切り板とし、
携帯端末を、上記仕切り板に直交する形で、かつ、レンズプレートに平行となるように挿嵌可能なことを特徴とする簡易3次元ビューワ。
【請求項２】
レンズプレートが、左右にレンズを有する双眼レンズプレートからなることを特徴とする請求項１に記載の簡易３次元ビューワ。
【請求項３】
レンズプレートとホルダーとの梱包体が、定形外郵便物として郵送可能な外形寸法と重量の条件を満たしたことを特徴とする請求項１又は２に記載の簡易３次元ビューワ。
【請求項４】
接眼板は、
左右にレンズ開口部を有する接眼面板と、
接眼面板に折り線を介して接続し、左右に開口部と、左右開口部の間にあって複数の切り込みからなる挿嵌帯を有し、接眼面板に対して１８０度折り曲げることで、接眼面板に重畳可能なレンズ挿嵌板と、
レンズ挿嵌板に切り込まれ、中央に係止部を有する係止片と、からなり、
仕切り板端部に、係止部に係止する係止用突起を有したことを特徴とする請求項１〜３のいずれかに記載の簡易３次元ビューワ。
【請求項５】
接眼板が連設された底面板の反対側に、折り線を介して、携帯端末を狭持する狭持板を設けたことを特徴とする請求項４に記載の簡易３次元ビューワ。
【請求項６】
ホルダーは、
接眼板と底面板とからなる係止ホルダーと、保持ホルダーと、からなり、
保持ホルダーは、左右にレンズ開口部を有する開口面を有し、
開口面に内接するように接眼面板が配置されるように保持ホルダーに係止ホルダーと携帯端末を挿嵌可能としたことを特徴とする請求項１〜３のいずれかに記載の簡易３次元ビューワ。
【発明の詳細な説明】
【技術分野】
【０００１】
本発明は、３次元ビューワに関するものである。特にスマートフォンなどの携帯端末を使用した簡易的な３次元ビューワに関するものである。
【背景技術】
【０００２】
人間が物を立体として認識するのは、その物を左右に位置がずれた両目で見て、左右の目の視差から、頭の中で遠近を認識し、同時にそれらを面で繋ぎ、一つの立体画像を作り上げるようにして認識している。
そこで、一つの物を一定の距離で離した２台のカメラで撮影し、それぞれを左右の目に別々に振り分けて表示すれば、両眼で見た画像を、脳内で同時に知覚・合成し、立体的に認識することができる。
この原理を使用して、画像を立体視するビューワが提案されている。
【０００３】
例えば、特許文献１では、左右の眼に対応して配置されたレンズ部と、情報処理端末を載置する台座部と、レンズとの位置関係を固定する連結部と、を備えた映像観察装置で、机等に置いて、安定して観察する装置になっている。
【０００４】
この装置はレンズと台座部の位置を調整することができるなど、観察し易く出来ている。しかし、その分、一般の人にとって、装置が複雑で、装置を組み立てにくく、入手して直ぐに利用して３次元ビューワを視聴しにくく、かつ、嵩張って、安価な郵便で郵送し難いなどの問題があった。
【先行技術文献】
【特許文献】
【０００５】
【特許文献１】実用新案登録第３１８５４５８号公報
【発明の概要】
【発明が解決しようとする課題】
【０００６】
そこで、パネルの左右にそれぞれ視差のある画像を表示させた携帯情報端末を使用し、消費者が面倒な組立作業を行なわず、単純な作業だけで組み立てられる簡易的な３次元ビューワを得ることが本発明の課題である。
【課題を解決するための手段】
【０００７】
本発明の３次元ビューワは、携帯端末のパネル画像を立体視可能な３次元ビューワであって、
レンズプレートと、ホルダーと、からなり、
ホルダーは、
左右にレンズ開口部を有し、かつ、左右のレンズ開口部の間にあって複数の切り込みからなる挿嵌帯を有する接眼板と、
接眼板に折り線を介して繋がる底面板と、からなり、
底面板に、折り線を介して切り込みで形成され、底面板と接眼板のそれぞれに対し、垂直に起立した状態で係止可能な仕切り板とし、
携帯端末を、上記仕切り板に直交する形で、かつ、レンズプレートに平行となるように挿嵌可能なことを特徴とする簡易３次元ビューワである。
【発明の効果】
【０００８】
本発明の簡易３次元ビューワは、単にレンズプレートと、携帯端末とを挿嵌可能とした
ホルダーと、からなり、
ホルダーにレンズプレートを差し込み、仕切り板を起立させ、携帯端末のパネル側をレンズプレートに向けて平行に挿嵌する単純な作業だけで、直ぐに３次元ビューワを視聴できるので、入手してから直ぐに、子供でも容易に組み立てて使用できる。
【図面の簡単な説明】
【０００９】
【図１】本発明の簡易３次元ビューワの第１実施形態例を示す組立斜視図と、ホルダーの展開図である。
【図２】本発明の簡易３次元ビューワの第１実施形態例における組み立て工程を示す斜視図である。
【図３】本発明の簡易３次元ビューワの第２実施形態例を示す組立斜視図と、係止ホルダーの展開図である。
【図４】本発明の簡易３次元ビューワの第２実施形態例を示す保持ホルダーの展開図と、その保持ホルダーを組み立てて、折り畳んだ状態を示す斜視図である。
【図５】本発明の簡易３次元ビューワの第２実施形態例を示す保持ホルダーにおいて、その底面強度をアップした改良例で、保持ホルダーの展開図と、その保持ホルダーを組み立てて、折り畳んだ状態を示す斜視図である。
【図６】本発明の簡易３次元ビューワの第２実施形態例における係止ホルダーの組み立て工程を示す斜視図である。
【図７】本発明の簡易３次元ビューワの第２実施形態例にで、携帯端末と係止ホルダーを保持ホルダーに組み込む工程を示す斜視図である。
【発明を実施するための形態】
【００１０】
以下、本発明の簡易３次元ビューワにおける実施形態例について、図を用いて詳細に説明する。
本発明の簡易３次元ビューワ１は、第１実施形態例の斜視図で、図１−１で示すように、レンズプレート３と、携帯端末４とを挿嵌可能としたホルダー２と、から構成されている。
レンズプレート３は、左右にレンズ３１を有した、透明な板状の成形品である。
視聴する人は、ホルダー２の接眼板２２側から、左右それぞれのレンズを通して、パネルの左右の画像を、仕切り板２３１によって、各々独立した状態で鑑賞することができる。この為、パネルの左右に視差の異なる画像を表示されると、視聴者は、左右の目の視差から、両眼で見た画像を、脳内で同時に知覚・合成し、立体的に認識ながら鑑賞することができる。
【００１１】
図１−２は、第１実施形態例におけるホルダー２の展開図である。
このホルダー２は、接眼板２２と底面板２３と狭持板２４から構成されている。
【００１２】
この第１実施形態例では、接眼板２２は、接眼面板２２１とレンズ挿嵌板２２２とが折り線で繋がり、１８０度折り返すことで二重になり、強度があり、保形性の高い接眼板を形成できるようになっている。
接眼面板２２１には、レンズプレートのレンズに合わせたピッチで、開口部２２１１が形成されている。
レンズ挿嵌板２２２は、左右に開口部２２１１よりも大きく開口したレンズ開口部２２２１を有し、その左右のレンズ開口部２２２１の間には、二本の切り込み２１１によって挿嵌帯２１を形成している。
さらに、二本の切り込み２１１の接眼面板２２１寄り端部には、Ｖの字状の切り込み２５１で形成され、中央に係止孔２５２を有する係止片２５を有している。
【００１３】
接眼板２２に折り線を介して繋がっている底面板２３は、折り線２３２と該折り線の両
端に繋がっている切り込み２３３で囲まれた仕切り板２３１を有している。
折り線２３２は、左右の開口部２２１１の中心線の延長線上に設けられた折り線である。また、切り込み２３３は、折り線２３２の両端と接し、レンズプレートによって膨らんだ挿嵌帯２１を押圧可能とし、底面板側に突出する円弧状の形状となっている。
また、仕切り板２３１の接眼板２２側の、折り線２３２から離れた端部には、係止片２５に係止する係止用突起２３４を有している。
さらに、仕切り板２３１の接眼板反対側の切り込み２３３は、端部から携帯端末の厚み相当の隙間を有した状態で、折り線２３２に対して直交する形で設けられた当接部２３３２を形成している。さらに、当接部２３３２の折り線側に弾力性を持たせる為の逃がし部２３３３を設けても良い。
なお、図１−２で示すように、折り線２３２と接する切り込み２３３の端部を曲線状にすることでストッパーの役目をし、複数回使用等に伴う負荷により破断するのを防止することができる。
【００１４】
接眼板と反対側の底面板２３端面には、折り線を介して、狭持板２４が設けられている。
この狭持板２４は、携帯端末を挿入した時に、仕切り板２３１と携帯端末を直角に固定保持させる為のもので、底面板２３に対し、ほぼ直角に起立した状態で、手を外側に添えて使用される。
【００１５】
図２−１は、第１実施形態例におけるホルダー２の第１段階の組立工程を示す斜視図である。
まず、接眼板２２の係止片２５を切り込み２５１に沿って押し下げ、レンズ挿嵌板２２２から切り離す。
次に、切り込み２１１に沿って挿嵌帯２１を一旦押し下げ、レンズプレートが挿嵌可能な隙間を設ける癖をつける。
その後、折り線に沿ってレンズ挿嵌板２２２を接眼面板２２１に覆い被せるように１８０度折り曲げる。
【００１６】
図２−２は、第１実施形態例におけるホルダー２の第２段階の組立工程を示す斜視図である。
レンズ挿嵌板２２２の挿嵌帯２１を押し上げ、隙間にレンズプレート３を挿嵌する。
次に、仕切り板２３１を切り込み２３３に沿って切り離し、折り線２３２で底面板２３に対して垂直に起立する形に折り曲げる。
一方、折り曲げられて二重になった接眼板２２を底面板２３に対して垂直に折り曲げて、仕切り板２３１の上端に位置する係止用突起２３４を、係止片２５の係止孔２５２に係止し、仕切り板２３１が接眼板２２に対しても、底面板２３に対しても垂直となるよう起立する。
携帯端末４のパネル側を、仕切り板２３１の切り込み２３３側に当接すると同時に、携帯端末４の背面に狭持板２４を当接させた状態で、手を添えて、パネルが接眼板２２に平行で、仕切り板２３１に垂直となるように保持する。
このようにして、図１−１で示したような視聴できる状態になる。
【００１７】
図３−１は、本発明の簡易３次元ビューワの第２実施形態例を示す組立斜視図である。この実施例では、３次元ビューワが接眼板２２と底面板２３とからなる係止ホルダー２０と、折り畳み可能な保持ホルダー５と、から構成されている。
係止ホルダーの接眼板２２にはレンズプレート３が挿嵌され、底面板２３に形成された仕切り板２３１が底面板２３や接眼板２２に対して垂直となるように起立した状態で係止される。
保持ホルダー５は、左右にレンズ開口部を有する接眼面板５１を有し、接眼面板５１に内
接するように係止ホルダー２０の接眼板２２を挿嵌し、他方側の仕切り板２３１端部に当接するように、携帯端末４が挿嵌されている。
視聴する人は、保持ホルダー５の接眼面板５１のレンズ開口部に配置された左右それぞれのレンズを通して、パネルの左右の画像を、仕切り板２３１によって、各々独立した状態で鑑賞することができる。この為、パネルの左右に視差の異なる画像を表示されると、視聴者は、左右の目の視差から、両眼で見た画像を、脳内で同時に知覚・合成し、立体的に認識ながら鑑賞することができる。
【００１８】
図３−２は、本発明の簡易３次元ビューワの第２実施形態例に使用する係止ホルダー２０の展開図である。この係止ホルダー２０は、接眼板２２と底面板２３から構成される。接眼板２２には、レンズプレートのレンズに合わせたピッチで、左右にレンズ開口部２２２１を有し、その左右のレンズ開口部２２２１の間には、二本の切り込み２１１によって挿嵌帯２１を形成している。
さらに、二本の切り込み２１１の底面板と反対側端部には、Ｖの字状の切り欠き２６が形成されている。
【００１９】
接眼板２２に折り線を介して繋がっている底面板２３は、折り線２３２と該折り線の両端に繋がっている切り込み２３３で囲まれた仕切り板２３１を有している。
折り線２３２は、左右のレンズ開口部２２２１の中心線の延長線上に設けられた折り線である。また、切り込み２３３は、折り線２３２の両端と接し、レンズプレートによって膨らんだ挿嵌帯２１を押圧可能とし、底面板側に突出する円弧状の形状となっている。
また、仕切り板２３１の接眼板側の、折り線２３２から離れた端部には、切り欠き２６に係止する係止用突起２３４を有している。係止用突起２３４の先端は接眼板２２に繋がる折り曲げ線の位置まで伸びている。
さらに、仕切り板２３１の接眼板と反対側の切り込み２３３は、端部から携帯端末の厚み相当の隙間を有した状態で、折り線２３２に対して直交する形で設けられた当接部２３３２を形成している。さらに、当接部２３３２の折り線側に弾力性を持たせる為の逃がし部２３３３を設けても良い。
なお、折り線２３２と接する切り込み２３３の端部を曲線状にすることでストッパーの役目を果たし、複数回使用等に伴う負荷により破断するのを防止することができる。
【００２０】
図４−１は、本発明の簡易３次元ビューワの第２実施形態例に使用する保持ホルダー５の展開図である。
図の上から右側面板５２、接眼面板５１、左側面板５３、背面板５４、のりしろ５２１が折り罫を介して繋がっている。
そして、接眼面板５１には底面外板５１０、背面板５４には底面内板５４０が折り罫を介して繋がっている。
接眼面板５１にはレンズプレートのレンズ部に対応した開口部５１１が組み立てた状態で左右に位置するように設けてある。
右側面板５２と左側面板５３には、中央に折り罫を設け、左右の側面板を折り罫に沿って内側に押し込んで二つに折り畳むことができるようになっている。
底面外板５１０と底面内板５４０は、まず、底面内板５４０を内側に折り込み、続いて同様に底面外板５１０を内側に折り込み、底面外板５１０の先端の突部を底面内板５４０先端の凹部に挿嵌すると、底面が固定され、組み上げることができる。
【００２１】
図４−２は、本発明の簡易３次元ビューワの第２実施形態例に使用する保持ホルダー５を折り畳んだ状態の斜視図である。
のりしろが接着され、各底板が内側に折り込まれ、右側面板５２と左側面板５３がそれぞれ内側に中央で折り畳まれた状態で、かさばらないように小さくしている。
【００２２】
図４−３は、本発明の簡易３次元ビューワの第２実施形態例に使用する保持ホルダー５を折り畳んだ状態から、起立させて、箱状に組み立てた状態の斜視図である。
左右の側面板をそれぞれ外方に押し拡げながら、底面内板５４０、底面外板５１０を順に内側に押し込むようにして倒すことで、底面外板５１０先端の突部が底面内板５４０先端の凹部に挿嵌され、底面において底板同士が組み合わされて、嵌合し固定される。
【００２３】
図５−１は、本発明の簡易３次元ビューワの第２実施形態例に用いる保持ホルダーにおいて、その底面強度を改良した例の展開図である。
図の上から右側面板５２、接眼面板５１、左側面板５３、背面板５４、のりしろ５２１が折り罫を介して繋がっている。
そして、右側面板５２には右底面フラップ５２０、接眼面板５１には底面外板５１０、左側面板５３には左底面フラップ５３０、背面板５４には底面内板５４０が折り罫を介して繋がっている。
接眼面板５１にはレンズプレートのレンズ部に対応した開口部５１１が組み立てた状態で左右に位置するように設けてある。
右底面フラップ５２０と左底面フラップ５３０は、背面側を略４５度に切り欠かれ、かつ、その先に係合部が形成されている。
さらに、底面外板５１０の先端に突部が、底面内板５４０の先端には凹部が形成されている。
のりしろ５２１を右側面板５２に貼った後、組み立て手順は下記のようにする。
すなわち、右底面フラップ５２０と底面外板５１０、左底面フラップ５３０と底面内板５４０は、まず、底面内板５４０を内側に折り込み、次に右底面フラップ５２０と左底面フラップ５３０を底面内板の内側に押し込むようにして倒し、最後に底面外板５１０をさらにそれらの内側に押し込むようにして倒し、底面外板５１０の先端の突部を底面内板５４０先端の凹部に挿嵌する。この時、右底面フラップ５２０と左底面フラップ５３０は、底面外板５１０の突部と、底面内板５４０の凹部が挿嵌された挿嵌部分において狭まれるように重なって係合し、底面が強固に固定され、組み上げることができる。
【００２４】
図５−２は、本発明の簡易３次元ビューワの第２実施形態例に用いる保持ホルダーにおいて、その底面強度を改良した保持ホルダー５を折り畳んだ状態の斜視図である。
のりしろが接着され、各底板が内側に折り込まれ、右側面板５２と背面板５４、左側面板５３と接眼面板５１が、それぞれ一つの面として、全体が斜めに押し潰されるように扁平に折り畳まれている。
【００２５】
図５−３は、本発明の簡易３次元ビューワの第２実施形態例に用いる保持ホルダーにおいて、その底面強度を改良した保持ホルダー５を折り畳んだ状態から、起立させて、箱状に組み立てた状態の斜視図である。
左右の側面板を起立させながら、初めに底面内板５４０を、次に右底面フラップ５２０と左底面フラップ５３０を、最後に底面外板５１０を内側に押し込むようにして倒すことで、底面外板５１０の先端の突部が底面内板５４０先端の凹部に挿嵌され、底板同士が組み合わされて、強固に嵌合し固定される。
【００２６】
図６は、本発明の簡易３次元ビューワの第２実施形態例で、係止ホルダー２０の組み立て工程を示す斜視図である。
図６−１では、まず、接眼板２２の切り込み２１１に沿って挿嵌帯２１を押し上げ、隙間にレンズプレート３を挿嵌する。
次に、仕切り板２３１を切り込み２３３に沿って切り離し、折り線２３２で直角に折り曲げる。
【００２７】
図６−２では、接眼板２２を底面板２３に対して垂直に起立する形に折り曲げる。
仕切り板２３１の上端に位置する係止用突起２３４を、切り欠き２６に係止し、仕切り板２３１が接眼板２２に対しても、底面板２３に対しても垂直となるように起立する。
この時、接眼板２２の切り欠き２６は、レンズプレート３によって内側に引っ張られる形になるので、係止用突起２３４の先端を確実に係止できるようになる。
携帯端末４は、パネルを仕切り板２３１側に向けて沿わせるように配置する。
【００２８】
図７は、本発明の簡易３次元ビューワの第２実施形態例で、保持ホルダー５
に、携帯端末４を配置した状態の係止ホルダー２０を挿嵌する組み立て工程の斜視図である。
図６−２で組み立てた係止ホルダー２０に、携帯端末４を所定の場所に配置し、レンズプレート３側を係止ホルダー２０の接眼面板５１側に向けて挿嵌するだけで、組み上げることができる。
この組み上げで、図３−１の状態になり、視聴者は、保持ホルダー５の接眼面板５１のレンズ開口部に配置された左右それぞれのレンズを通して、パネルの左右の画像を、仕切り板２３１によって、各々独立した状態で視覚する。そして、パネルの左右に視差の異なる画像を表示されると、視聴者は、左右の目の視差から、両眼で見た画像を、脳内で同時に知覚・合成し、立体的に認識ながら鑑賞することができる。
【００２９】
本発明の簡易３次元ビューワは、包装袋や包装箱に、上記簡易３次元ビューワを折り畳んだ状態で販売するが、本発明品は非常に薄くコンパクトに梱包できるので、本発明品と包装袋や包装箱との隙間に、商品を入れ、それを郵送できるようにすることができる。
例えば、３次元ビューワで鑑賞する映画やアニメーションなどが、宣伝のキャラクターになっている商品などを販売するのに、拡販用のおまけとして、利用できる。
商品は御菓子のような食品であっても、文具などであってもかまわないが、郵送できるようにするには、折り畳んだ簡易３次元ビューワの外形寸法が投函可能な大きさで、厚みは３５ｍｍ以下であり、商品を含めた重量は、定形外郵便物として郵送可能な重さである１００ｇ以内であることが望ましい。
商品によって、レンズホルダーなどが変形して、使用できなくならないように、また、商品が落下などにあっても破損しにくいように、商品保護台紙などを追加し、商品を覆って保護できるようにしても良い。
【００３０】
本発明の簡易３次元ビューワに用いるビューワホルダーや固定ホルダーは、薄いダンボールや厚紙、あるいはプラスチックシートなどをビク刃やプレス型などでプレスするだけで、簡単に製造できる。
また、双眼レンズプレートは、ポリメチルメタアクリレートなどの透明樹脂を射出成形、あるいは射出圧縮成形するだけで、容易に、かつ、大量で安価に製造できる。
【００３１】
本発明の簡易３次元ビューワは、以上のように、スマートフォンなどの携帯端末のパネルに、左右２つのレンズで捕らえたそれぞれの画像を、左右別々に分けて映し出した３次元画像と音声を元に、左右別々の眼でそれぞれ観ることで、立体的な３次元映像として視聴可能なビューワである。
この簡易３次元ビューワは、ほとんどむずかしい組立てや調整は必要ではなく、開封後、直ぐに、何の道具も必要としないで組み立てることができ、かつ、直ぐに３次元映像を視聴可能であり、単体でも充分に商品価値がある。
しかも、商品を内蔵して、贈答用として、御菓子なども合わせ、郵送可能な形態にできるように、簡素で軽量で、大きさも薄く小さくすることができる。
さらに、特に本格的な組み立ても必要なく、開封後、直ぐに、小さなお子様など誰でも組み立てて、視聴できると共に、しまう時も非常にコンパクトに収納でき、かつ、安価で大量生産可能な簡易３次元ビューワであり、本発明のメリットは大きい。
【符号の説明】
【００３２】
１・・・・・・・・簡易３次元ビューワ
２・・・・・・・・ホルダー
２０・・・・・・・係止ホルダー
２１・・・・・・・挿嵌帯
２１１・・・・・・切り込み
２２・・・・・・・接眼板
２２１・・・・・・接眼面板
２２１１・・・・・開口部
２２２・・・・・・レンズ挿嵌板
２２２１・・・・・レンズ開口部
２３・・・・・・・底面板
２３１・・・・・・仕切り板
２３２・・・・・・折り線
２３３・・・・・・切り込み
２３３２・・・・・当接部
２３３３・・・・・逃がし部
２３４・・・・・・係止用突起
２４・・・・・・・狭持板
２５・・・・・・・係止片
２５１・・・・・・切り込み
２５２・・・・・・係止孔
２６・・・・・・・切り欠き
３・・・・・・・・レンズプレート
３１・・・・・・・レンズ
４・・・・・・・・携帯端末
４１・・・・・・・パネル面
５・・・・・・・・保持ホルダー
５１・・・・・・・接眼面板
５１０・・・・・・底面外板
５２・・・・・・・右側面板
５２０・・・・・・右底面フラップ
５２１・・・・・・のりしろ
５３・・・・・・・左側面板
５３０・・・・・・左底面フラップ
５４・・・・・・・背面板
５４０・・・・・・底面内板
【図１】
2018137526.tif 000003
【図２】
2018137526.tif 000004
【図３】
2018137526.tif 000005
【図４】
2018137526.tif 000006
【図５】
2018137526.tif 000007
【図６】
2018137526.tif 000008
【図７】
2018137526.tif 000009